(57)【要約】【課題】放送エリアの遷移または放送受信の困難な状況の場合でも、同一番組のディジタル放送受信を可能にする通信端末またはシステムを提供することにある。【解決手段】制御部１０４は、放送受信管理部１０２により放送受信が中断される状況であると判定されると、放送局２０からの放送受信モードを、通信回線による放送受信モードに切換える受信切換え処理を実行する。通信送受信部１０５は、制御部１０４からの通知に応じて、通信回線を介してコンテンツサーバ３０に接続して、放送受信時と同一番組の放送情報を受信する。【選択図】　　図１
2004040380.tif 000002
【特許請求の範囲】
【請求項１】
放送回線によるディジタル放送を受信する放送受信手段と、前記ディジタル放送と同一放送情報を送信可能なコンテンツサーバと通信回線を介して通信可能な通信送受信手段と、
前記放送受信手段により前記ディジタル放送の受信中に、所定の条件で前記放送受信手段と前記通信送受信手段とを切換える切換え手段と、
前記切換え手段による切換え動作に応じて、前記通信送受信手段を介して前記コンテンツサーバから前記ディジタル放送と同一放送情報を受信するように制御する制御手段と
を具備したことを特徴とする通信端末。
【請求項２】
前記放送受信手段により受信中のディジタル放送の番組を識別する番組情報を取得する取得手段を有し、
前記制御手段は、前記番組情報を使用して前記コンテンツサーバから同一番組の放送情報を受信するように制御することを特徴とする請求項１に記載の通信端末。
【請求項３】
前記取得手段は、前記放送受信手段で受信された放送情報に含まれる前記番組情報を抽出し、記憶手段に蓄積するように構成されていることを特徴とする請求項２に記載の通信端末。
【請求項４】
前記放送受信手段での放送受信状況を管理する放送受信管理手段を有し、
前記切換え手段は、前記放送受信管理手段により放送受信状況が許容できない状態であると判定された場合に、前記放送受信手段から前記通信送受信手段が有効になるように切換えることを特徴とする請求項１に記載の通信端末。
【請求項５】
前記切換え手段は、前記放送受信管理手段により放送受信状況が許容できる状態に回復したと判定された場合に、前記通信送受信手段から前記放送受信手段が有効になるように切換えることを特徴とする請求項４に記載の通信端末。
【請求項６】
前記放送受信手段により受信した放送情報を蓄積する受信情報記億手段と、
前記放送受信管理手段により放送受信状況が許容できない状態であると判定されたときに、前記受信情報記憶手段に蓄積された放送情報から欠落した放送情報を取得する欠落情報取得手段とを有し、
前記制御手段は、前記通信送受信手段を介して前記コンテンツサーバから当該欠落放送情報を受信するように制御することを特徴とする請求項１に記載の通信端末。
【請求項７】
前記制御手段は、前記通信送受信手段を介して前記コンテンツサーバから受信した前記欠落放送情報と、前記放送受信手段により受信した放送情報とを組み合わせる機能を含むことを特徴とする請求項６に記載の通信端末。
【請求項８】
端末本体の現在位置を取得する現在地取得手段と、
前記ディジタル放送の放送エリアを特定する放送エリア特定手段と、
前記現在位置と前記放送エリアとに基づいて、端末本体が別の放送エリアに遷移したことを判定する判定手段と、
前記判定手段により放送エリアが遷移したことを判定された場合に、遷移前の放送エリアでの受信番組を識別する番組情報を取得する取得手段と、
前記番組情報を使用して、遷移前の放送エリアでの受信番組と同一番組の放送情報を、前記放送受信手段を介して遷移後の放送エリアから受信するように制御する手段と
を更に備えていることを特徴とする請求項１に記載の通信端末。
【請求項９】
遷移前の放送エリアでの受信番組と同一番組が遷移後の放送エリアでは存在しない場合に、前記放送受信手段と前記通信送受信手段とを切換える切換え手段と、
前記受信切換え手段による受信切換え動作に応じて、前記通信送受信手段を介して前記コンテンツサーバから前記ディジタル放送と同一放送情報を受信するように制御する手段と
を更に備えていることを特徴とする請求項８に記載の通信端末。
【請求項１０】
前記放送受信手段により受信された放送情報の中に含まれる前記コンテンツサーバのアドレス情報を抽出する手段を有し、
前記制御手段は、前記通信送受信手段を介して当該ＵＲＬ情報により前記コンテンツサーバに通信接続することを特徴とする請求項１、２、７、９のいずれか１項に記載の通信端末。
【請求項１１】
放送回線によりディジタル放送を行なうディジタル放送網、及びコンテンツサーバにより当該ディジタル放送での放送情報を通信回線を介して提供可能なコンピュータネットワークのいずれにも接続可能な通信端末を使用するディジタル放送受信システムであって、
前記通信端末は、
前記ディジタル放送網からディジタル放送を受信する放送受信手段と、
前記通信回線を介して前記コンピュータネットワークに接続し、前記コンテンツサーバから前記ディジタル放送と同一放送情報を受信可能な通信受信手段と、前記放送受信手段により前記ディジタル放送の受信中に、所定の条件で前記放送受信手段と前記通信受信手段とを切換える切換え手段と、
前記受信切換え手段による受信切換え動作に応じて、前記通信受信手段を介して前記コンテンツサーバから前記ディジタル放送と同一放送情報を受信するように制御する制御手段とを具備し、
同一通信端末により放送回線又は通信回線のいずれからも同一のディジタル放送を受信できる構成であることを特徴とするディジタル放送受信システム。
【発明の詳細な説明】
【０００１】
【発明の属する技術分野】
本発明は、一般的にはディジタル放送受信機能を有する通信機器の分野に関し、特に、移動体通信端末または携帯型情報端末に適用する技術に関する。
【０００２】
【従来の技術】
近年、いわゆる携帯電話などの移動体通信端末や、ＰＤＡと呼ばれる携帯型情報端末（パーソナルコンピュータも含む）により、ディジタル放送を受信する技術が開発されている。ここでは、移動体通信端末や携帯型情報端末等を通信端末と総称する。
【０００３】
ディジタル放送受信機能を有する通信端末を使用すれば、ユーザは、基本的にはいずれの場所にいてもディジタル放送を受信できる。しかしながら、一般的には、放送局から放送される番組は、放送エリアが設定されており、当該放送エリア外では受信できないことが多い。
【０００４】
一方、通信端末は、ユーザと共に移動して使用されることが前提である。このため、通信端末の現在位置が放送エリアを遷移したときに、遷移後の放送エリアでは遷移前に受信していた番組を受信できないことがある。
【０００５】
【発明が解決しようとする課題】
先行技術として、通信端末でのテレビ放送受信時に、通信端末の現在地が放送エリアを遷移したしたときに、円滑に受信放送番組を切り換える技術が提案されている（例えば特開２０００−２９９６４４公報を参照）。しかしながら、当該先行技術の内容は、遷移した放送エリアにおいて、遷移前の放送エリアでの受信番組と同一ジャンルの番組を自動選択するものである。従って、ユーザは同一番組を視聴できるわけではなく、必ずしもユーザの要求を満たす技術ではない。
【０００６】
また、同一放送エリア内での移動においても、ディジタル放送の受信状況が良くない場所（例えば地下街など）に移動したときにも、当該番組の視聴が困難になることがある。
【０００７】
そこで、本発明の目的は、放送エリアの遷移または放送受信の困難な状況の場合でも、同一番組のディジタル放送受信を可能にする通信端末またはシステムを提供することにある。
【０００８】
【課題を解決するための手段】
本発明の観点は、ディジタル放送受信機能を備えた通信端末において、放送回線により放送情報を受信する放送受信手段と、通信回線により放送情報を受信する通信受信手段とを切換える機能を有し、ディジタル放送受信状況に応じて同一番組の放送情報を通信受信手段により受信可能な通信端末に関する。
【０００９】
本発明の観点に従った通信端末は、放送回線によるディジタル放送を受信する放送受信手段と、ディジタル放送と同一放送情報を送信可能なコンテンツサーバと通信回線を介して通信可能な通信送受信手段と、放送受信手段によりディジタル放送の受信中に所定の条件で放送受信手段と通信送受信手段とを切換える切換え手段と、切換え手段による切換え動作に応じて、通信送受信手段を介してコンテンツサーバからディジタル放送と同一放送情報を受信するように制御する制御手段とを備えたものである。
【００１０】
このような構成により、例えばディジタル放送受信中に受信状況が悪化した場合や、放送エリアの遷移により同一番組の視聴が困難になった場合に、放送受信から通信回線からの情報受信に切換えて、同一番組の放送情報を受信することが可能となる。従って、ユーザの移動に伴なって通信端末が移動した場合でも、同一番組のディジタル放送を実質的に視聴することが可能となる。
【００１１】
【発明の実施の形態】
以下図面を参照して、本発明の実施の形態を説明する。
【００１２】
（通信端末の構成）
図１は、本実施形態に関係する通信端末の要部及びディジタル放送受信システムの構成を示すブロック図である。
【００１３】
本システムは、大別して通信端末１０と、放送回線によりディジタル放送を行なう放送局２０と、通信回線で接続されたコンピュータネットワーク（インターネット）を介して情報通信を行なうコンテンツサーバ３０とからなる。
【００１４】
同実施形態の通信端末１０は、通常の携帯電話回線での無線通信機能以外に、放送回線によるディジタル放送の受信機能を有するものであり、いわゆる携帯電話、ＰＨＳ、ＰＤＡなどの移動体通信端末や携帯型情報端末に相当する。放送局２０は、地上波デジタル放送または衛星ディジタル放送により映像、音声、データ等のディジタル情報を放送回線により伝送する放送システム全体を意味する。コンテンツサーバ３０は、通常では携帯電話回線等の通信回線を介して接続したインターネットを経由して、放送局２０で放送する番組と同一放送情報を提供する機能を備えている。
【００１５】
通信端末１０は、放送受信アンテナ１００と、放送受信部１０１と、放送受信管理部１０２と、視聴番組取得部１０３と、制御部１０４と、通信送受信部１０５とを有する。
【００１６】
放送受信部１０１は、放送受信アンテナ１００で受信した放送局２０からのディジタル放送信号を復調する放送受信装置を含み、復調された放送信号（放送情報）からユーザが選局した番組に関するパケット信号を抽出する機能を有する。放送受信管理部１０２は、放送受信部１０１で受信された放送信号の受信状況を判定する機能を有する。具体的には、放送受信管理部１０２は、放送信号の受信レベルを抽出し、放送キャリア信号の電界強度または受信信号のＣ／Ｎ，Ｓ／Ｎなどにより当該受信レベルを数値化し、複数段階のレベル判定を行なう。放送受信管理部１０２は、当該各受信レベルに基づいて放送信号を正常に受信できるか否かの判定を実行する。
【００１７】
視聴番組取得部１０３は、放送受信部１０１で受信した放送信号から現在視聴している番組の識別情報（以下番組情報と表記する場合がある）を抽出し、当該番組情報を通信送受信部１０５に出力する。ここで、番組情報とは、視聴している番組の番組名などの情報を含んでおり、番組名はＥＩＴ（Ｅｖｅｎｔ　Ｉｎｆｏｒｍａｔｉｏｎ　Ｔａｂｌｅ）から抽出することができる。また、視聴番組取得部１０３は、現在位置する放送エリア内の全番組の番組名をＥＩＴから取得して記憶する機能を備えている。
【００１８】
通信送受信部１０５は、無線通信用アンテナ１１４を介して、携帯電話回線、インターネットなどを代表とするコンピュータネットワーク通信回線と接続して、放送情報などの情報の送受信を行なう装置である。
【００１９】
制御部１０４は、タイマ１０４ａ、受信状況通知部１０４ｂ、及び受信情報記憶部１０４ｃを有し、主として受信切換え機能を実現する。制御部１０４は、放送受信管理部１０２の判定結果を受けて、放送受信状況が良好な状態であれば、放送受信部１０１で抽出されたパケット信号（ユーザが選局した番組に関する放送情報）を復号部１０６に出力する。一方、制御部１０４は、放送受信管理部１０２の判定結果を受けて、放送受信状況が受信困難な状態であれば、タイマ１０４ａによる待機処理、または後述する受信切換え処理を実行する。受信状況通知部１０４ｂは、放送受信状況が受信困難な状態の場合に、その旨を、通信送受信部１０５及びディスプレイ１０８を介してユーザに通知する。受信情報記憶部１０４ｃは、放送受信部１０１で受信した放送信号（放送情報）を一時的に格納するバッファメモリである。
【００２０】
更に、通信端末１０は、復号部１０６と、スピーカ１０７と、ディスプレイ１０８と、現在地取得部１０９と、放送エリア取得部１１０と、放送番組取得部１１１と、受信履歴記憶部１１２と、操作スイッチ１１３とを有する。
【００２１】
復号部１０６は、放送受信部１０１で抽出されたパケット信号を音声信号や映像信号に復号し、復号した音声信号をスピーカ１０７に出力し、映像信号をディスプレイ１０８に出力する。
【００２２】
現在地取得部１０９は、例えばＧＰＳを利用して通信端末１０の現在地（現在位置）を自動的に取得する装置である。また、現在地取得部１０９は、通信端末１００と携帯電話の基地局との交信により位置情報を取得する構成でもよい。
【００２３】
放送エリア取得部１１０は、現在地から放送エリアを特定する放送エリア情報を予め記憶しているメモリを有する。放送エリア取得部１１０は、メモリに記憶された放送エリア情報と現在地取得部１０９にて取得された現在地とより、通信端末１０が位置する放送エリアを特定し、放送番組取得部１１１に出力する。具体的には、放送エリア取得部１１０は、現在地取得部１０９により取得された現在地の緯度、経度から、通信端末１０が存在する放送エリアを特定する。
【００２４】
放送番組取得部１１１は、放送エリア取得部１１０からの出力に基づいて、現在位置の放送エリアと近接する放送エリアとで放送される番組情報を取得する。具体的には、放送番組取得部１１１は、ＥＩＴから各チャネルの各番組名を取得する。また、ＥＩＴに近接する放送エリアの番組名が含まれている場合は、同様にこの番組名を利用する。
【００２５】
一方、ＥＩＴに近接する放送エリアの番組名が含まれていない場合は、放送番組取得部１１１は、制御部１０４及び通信送受信部１０５を経由して、コンテンツサーバ３０から通信回線を介して近接エリアの番組情報を取得する。ここで、番組情報としては、番組の識別に使用される番組識別情報、および各番組の放送情報を保存しているコンテンツサーバ３０のＵＲＬ情報などが含まれる。放送番組取得部１１１は、これらの番組情報を定期的または不定期的に更新する。
【００２６】
受信履歴記憶部１１２は、放送受信の中断時などで利用する受信履歴情報を記憶する装置である。受信履歴記憶部１１２は、視聴番組取得部１０３による視聴番組情報や、中断時の番組の放送情報を有するコンテンツサーバのＵＲＬ情報、受信中断時の欠落パケット情報などを記憶している。
【００２７】
操作スイッチ１１３は、ユーザのマニュアル操作により各種コマンドなどを入力するためのスイッチである。同実施形態では、制御部１０４は、操作スイッチ１１３からの切換えコマンド入力に応じて、放送局２０からの放送信号を受信する受信モードと、通信回線を介してコンテンツサーバ３０からの放送情報を受信する受信モードとを切換える切換え処理を実行する。
【００２８】
（放送受信の切換え動作）
以下図１と共に、図２から図５のフローチャートを参照して、同実施形態の通信端末１０による放送受信動作を説明する。
【００２９】
まず、制御部１０４は、操作スイッチ１１３からの入力コマンドに応じて、放送局２０から選局した番組の放送信号を受信する受信モードを実行している場合を想定する。具体的には、放送受信部１０１は、放送受信アンテナ１００で受信したディジタル放送信号から、ユーザが選局した番組に関するパケット信号を抽出する。制御部１０４は、放送受信部１０１で抽出されたパケット信号（放送情報）を復号部１０６に出力する。復号部１０６は、放送受信部１０１で抽出されたパケット信号を音声信号や映像信号に復号する（放送受信情報の再生）。これにより、受信放送信号から復号された音声信号は、スピーカ１０７から出力される。また、映像信号はディスプレイ１０８上に表示出力される。従って、ユーザは、通信端末１０により、ディジタル放送の選局した番組を視聴することができる。
【００３０】
ここで、放送受信管理部１０２は、常に所定の間隔で放送受信部１０１で受信された放送信号の受信状況を判定している（ステップＳ１）。制御部１０４は、放送受信管理部１０２の判定結果が受信状況の悪化の場合には、タイマ１０４ａを起動して一定時間だけ、受信状況が回復するまで待機する（ステップＳ２）。一定時間経過後に受信状況が回復すれば、制御部１０４は、放送受信部１０１で受信した放送信号（選局した番組の放送情報）を復号部１０６に転送し、放送受信情報の再生処理を継続する（ステップＳ３のＹＥＳ，Ｓ７）。
【００３１】
一方、一定時間経過後の受信判定が依然受信困難と判定された場合は、制御部１０４は、受信状況通知部１０４ｂにより通信送受信部１０５に通知する。これにより、制御部１０４は、放送網からの受信モードから通信網（通信回線）からの受信モードへの切換え処理を実行する（ステップＳ３のＮＯ，Ｓ４）。ここで、受信状況通知部１０４ｂは、放送受信状況が受信困難であることを、ディスプレイ１０８を介してユーザにも通知する。
【００３２】
通信送受信部１０５は、アンテナ１１４及び通信回線を介して、中断する前の受信放送情報（ユーザが選局した番組）と同一の放送情報を有するコンテンツサーバ３０に接続する。そして、通信送受信部１０５は、当該コンテンツサーバ３０から放送情報を受信して復号部１０６に転送する。復号部１０６は、通信送受信１０５から得た放送情報をストリーミング再生し、スピーカ１０７及びディスプレイ１０８に出力する（ステップＳ５）。
【００３３】
放送受信部１０１は、通信網、即ち通信回線から放送情報を受信している際も動作している。同様に、放送受信管理部１０２は、放送受信部１０１で受信している放送信号から受信状況を判定する処理を継続している（ステップＳ６）。放送受信管理部１０２が受信可能と判断した場合でも、制御部１０４は、一定時間だけストリーミング再生（通信回線による受信モード）を継続し、一定時間後に放送受信管理部１０２の判定結果が受信困難の場合には、そのままストリーミング再生を実行する（ステップＳ６のＮＯ）。一方、一定時間後に受信状況が回復されたと判定された場合には、制御部１０４は、通信網（通信回線）からの受信モードから放送網（放送局２０からの放送受信）の受信モードへの切換え処理を実行する（ステップＳ６のＹＥＳ，Ｓ７）。この場合、制御部１０４は、通信送受信部１０５と放送受信部１０１の各受信パケット情報を比較し、自動的かつ円滑に受信モードを切換える。
【００３４】
ここで、図３のフローチャートを参照して、受信モードの切換え処理の手順を具体的に説明する。
【００３５】
通信送受信部１０５は、制御部１０４の受信状況通知部１０４ｂからの通知に応じて、視聴番組取得部１０３から現在視聴されている番組を識別する番組情報を取得する（ステップＳ１０）。通信送受信部１０５は、取得した番組情報に含まれるＵＲＬ情報により通信回線を介してコンテンツサーバ３０に接続し、当該番組情報を送信する（ステップＳ１１）。更に、通信送受信部１０５は、放送受信部１０１で受信できなかった欠落パケット情報として、放送局２０から最後に受信したパケット情報（受信時刻、ＰＩＤ、ＰＴＳなど）コンテンツサーバ３０に送信する（ステップＳ１２）。
【００３６】
コンテンツサーバ３０は、通信端末１０から受信した番組情報により、選局されているチャネル番号、視聴時間帯、及び視聴番組のＧコードなどを認識することで通信端末１０で視聴されている番組を特定する。そして、コンテンツサーバ３０は、放送情報を保存している記憶部から当該番組に対応する放送情報を検索し、通信回線を介して通信端末１０に送信する。このとき、コンテンツサーバ３０は、通信送受信部１０５から送信された欠落パケット情報により、欠落パケット情報以後の放送情報を送信することができる。
【００３７】
以上のようにして、通信送受信部１０５は、放送受信の中断時点からの放送情報を、通信回線を介してコンテンツサーバ３０から受信することができる（ステップＳ１３）。従って、放送局２０からの放送受信状況が悪化して、放送受信が中断した場合でも、通信回線を介して当該番組の放送情報を継続的に受信することが可能となる。これにより、ユーザは、例えば移動に伴なって放送受信が困難に状況になっても、通信端末１０で受信している番組放送を継続的に視聴することが可能となる。
【００３８】
（変形例）
図４のフローチャートは、放送受信が中断したときに、受信した放送情報の中断で欠落した受信パケットのみを受信する手順を示す変形例を示す。
【００３９】
本変形例では、制御部１０４は、放送受信の中断に応じて、通信回線を介して欠落した受信パケットである欠落情報を取得する。（ステップＳ２０のＹＥＳ，Ｓ２１）。即ち、制御部１０４は、前述した手順により、受信中断に応じて通信送受信部１０５及びコンテンツサーバ３０により、放送受信情報から欠落した欠落情報のみを取得し、放送受信で得られた放送情報と組み合わせて復号部１０６に出力する。制御部１０４は、放送受信で得られた放送情報を受信情報記億部１０４ｃに蓄積している。
【００４０】
復号部１０６は、制御部１０４から得られた組み合わせ情報を復号化し、音声をスピーカ１０７で再生し、かつ映像をディスプレイ１０８で再生する組み合わせ再生処理を実行する（ステップＳ２２）。なお、復号部１０６は、放送局２０からの放送受信の状況が回復した時点で、放送受信で得られた放送情報での再生処理を実行することになる（ステップＳ２０のＮＯ，Ｓ２３）。
【００４１】
本変形例での組み合わせ再生では、通信回線による欠落情報の補足処理による遅延時間を考慮して、放送信号を予め一定時間遅らせて再生させる。具体的には、放送受信部１０１による放送信号を、制御部１０４の受信情報記憶部１０４ｃに一時的に記憶させて、一定時間後から再生を実行する。また、通信送受信部１０５は、放送受信管理部１０２が放送受信が可能と判定するまで、コンテンツサーバ３０から放送情報を受信し続ける。
【００４２】
（放送エリアの遷移に伴なう受信切換え動作）
図５のフローチャートは、同実施形態の受信切換え動作で、特に通信端末１０が移動に伴なって、受信中の放送エリアから近傍の別の放送エリアに遷移した場合の動作を説明する。
【００４３】
まず、同実施形態の通信端末１０では、現在地取得部１０９は、定期的または不定期的に通信端末１０の現在地（現在位置）を取得している。放送エリア取得部１１０は、現在地取得部１０９からの現在地に基づいて、通信端末１０が位置する放送エリアを特定している（ステップＳ３０）。通常では、通信端末１０は、現在での放送エリアから放送されている放送情報を受信し、前述の手順で再生することになる（ステップＳ３１）。
【００４４】
放送エリア取得部１１０は、取得された放送エリアを記憶しておき、再度取得された放送エリアと記憶されている放送エリアとが異なる場合には、通信端末１０が存在する放送エリアが遷移したと判定する（ステップＳ３２）。
【００４５】
放送エリアの遷移が発生した場合、放送エリア取得部１１０は、通信端末１０の受信可能な放送エリアが遷移したことを制御部１０４に通知する（ステップＳ３２のＹＥＳ）。制御部１０４は、放送エリア取得部１１０から放送エリアの遷移通知を受けると、視聴番組取得部１０３から放送エリア遷移前に視聴していた番組情報を取得する（ステップＳ３３）。また、制御部１０４は、放送番組取得部１１１から遷移後の放送エリアで受信可能な番組情報を取得する。
【００４６】
制御部１０４は、視聴番組取得部１０３からの放送エリア遷移前の視聴番組情報と、放送エリア遷移後の番組情報とを比較し、遷移後の放送エリアに遷移前に視聴していた番組と同一番組が存在するか否かを判定する（ステップＳ３４）。
【００４７】
制御部１０４は、同一番組が存在する場合には、自動的に放送エリア遷移後の同一番組に切換える（ステップＳ３４のＹＥＳ，Ｓ３８）。従って、制御部１０４は、放送受信部１０１で新たな放送エリアで受信した放送情報を復号部１０６に転送することにより、放送エリアの遷移前と同一番組を再生する（ステップＳ３９）。
【００４８】
一方、同一番組が存在しない場合には、前述したように、制御部１０４は、放送網の受信モードを通信網の受信モードに切換えることを、通信送受信部１０５に通知して受信切換え処理を実行する（ステップＳ３４のＮＯ，Ｓ３５）。通信送受信部１０５は、放送エリアの遷移前に視聴していた番組の番組情報及び欠落パケット情報をコンテンツサーバ３０に送信する。ここで、欠落パケット情報は、同一番組が存在しないと判定された時点での放送受信部１０１で受信された受信パケット、あるいは放送エリア遷移後に、遷移前の放送局２０からの放送受信が困難と判定された時点での受信パケットを意味している。
【００４９】
通信送受信部１０５は、前述した手順により、コンテンツサーバ３０から放送エリアの遷移で欠落された欠落情報からの放送情報を受信する（ステップＳ３６）。復号部１０６は、通信送受信部１０５から放送エリアが遷移する前に視聴していた番組の放送情報を再生する（ステップＳ３７）。
【００５０】
以上要するに、通信端末１０で放送受信中に、移動に伴なって放送エリアが遷移した場合でも、遷移前と同一番組を受信して視聴することができる。このとき、遷移後の放送エリアには同一番組が存在しない場合でも、通信回線を利用して当該同一番組の放送情報を受信して視聴することができる。
【００５１】
なお、同実施形態では、放送情報の受信モードとして、放送網から通信回線またはその逆に切換えられた場合に、制御部１０４は、ディスプレイ１０８上にその旨を表示してユーザに通知している。この通知手段としては、スピーカ１０７を使用して、音声で通知するようにしてもよい。
【００５２】
更に、同実施形態では、制御部１０４は、受信切換え処理を自動的に実行する構成であるが、これに限ることなく、ユーザが操作スイッチ１１３を操作してマニュアルで受信切換え処理を実行させる構成でもよい。また、制御部１０４の動作として、自動モード、手動切換えモード、または切換えなし等のモードを、ユーザが操作スイッチ１１３から予め設定できる構成でもよい。
【００５３】
更に、放送受信管理部１０２は、現在受信している放送信号の受信レベルを複数段階のレベルに判定し、受信状況通知部１０４ｂを介して当該判定結果をディスプレイ１０８上に表示する構成でもよい。このような構成であれば、ユーザは、ディスプレイ１０８上で放送受信状況を確認できるため、受信状況が良好な場所に移動することが可能となる。
【００５４】
また、放送局２０は、放送していた番組が終了した際、コンテンツサーバ３０に対して、当該番組に関連した情報（例えばプロ野球中継の延長などの放送情報）や、予告などを示す放送情報を提供する構成でもよい。このような構成であれば、ユーザは、通信端末１０からコンテンツサーバ３０に通信回線で接続することにより、視聴していた番組の続きや、関連する情報等を視聴することが可能となる。
【００５５】
（受信履歴記憶部１１２の利用）
受信履歴記憶部１１２は、前述したように、放送受信の中断時などで利用できる視聴番組取得部１０３による視聴番組情報や、中断時の番組の放送情報を有するコンテンツサーバのＵＲＬ情報、受信中断時の欠落パケット情報などを記憶している。
【００５６】
ユーザは、操作スイッチ１１３からのコマンド入力により、制御部１０４を介して受信履歴記憶部１１２から、任意に視聴番組情報、番組の放送情報を有するコンテンツサーバのＵＲＬ情報、受信中断時の欠落パケット情報などを利用できるように構成でもよい。受信履歴記憶部１１２には、ユーザが任意に選択した番組の情報を記憶させてもよい。
【００５７】
以上の要するに、同実施形態の通信端末１０であれば、放送局２０からのディジタル放送を受信できると共に、通信回線を介してインターネットなどに接続したコンテンツサーバ３０から同一番組の放送情報を受信することができる。この場合、受信切換えモードとしては、放送受信の受信状況の悪化を原因とする受信中断や、放送エリアの遷移、またはユーザの任意による受信中断による受信切換えモードの実行が可能である。これにより、ユーザは、通信端末を備えていれば、場所や時間帯に制約されることなく、結果的に放送局２０によるディジタル放送番組を視聴することが可能となる。
【００５８】
【発明の効果】
以上詳述したように本発明によれば、放送エリアの遷移または放送受信の困難な状況の場合でも、同一番組のディジタル放送受信を可能にする通信端末またはシステムを提供できる。従って、ユーザの要求する番組を場所や時間帯に制約されることなく提供できる有用なディジタル放送サービスを実現することが可能となる。
【図面の簡単な説明】
【図１】本発明の実施形態に関する通信端末の要部を示すブロック図。
【図２】同実施形態に関する受信切換え動作の手順を説明するためのフローチャート。
【図３】同受信切換え動作の詳細な手順を説明するためのフローチャート。
【図４】同実施形態の変形例に関するフローチャート。
【図５】同実施形態に関する放送エリアの遷移状態での手順を説明するためのフローチャート。
【符号の説明】
１０…通信端末
２０…放送局
３０…コンテンツサーバ
１００…放送受信アンテナ
１０１…放送受信部
１０２…放送受信管理部
１０３…視聴番組取得部
１０４…制御部
１０５…通信送受信部
１０６…復号部
１０７…スピーカ
１０８…ディスプレイ
１０９…現在地取得部
１１０…放送エリア取得部
１１１…放送番組取得部
１１２…受信履歴記憶部
１１３…操作スイッチ
１１４…通信送受信アンテナ
【図１】
2004040380.tif 000003
【図２】
2004040380.tif 000004
【図３】
2004040380.tif 000005
【図４】
2004040380.tif 000006
【図５】
2004040380.tif 000007